(57)【特許請求の範囲】
【請求項１】
輝度とクロミナンスが互いに分離していない色入力信号を受信して、その色入力信号を輝度とクロミナンスが互いに分離している色中間信号に変換する色空間変換部と；
色空間変換を使って色相信号を生成することにより前記色入力信号に含まれる色相を演算し、前記色入力信号の最大値および最小値を使って演算して調整パラメータを生成し、前記色相信号と微調整マッピングテーブルとの関係に従って色相微調整信号と、彩度微調整信号と、強度微調整信号を生成し、重み係数を前記調整パラメータに従って調整し、次に、前記重み係数を乗算して調整済み彩度微調整信号を生成することにより前記彩度微調整信号を調整するかまたは重み係数を前記調整パラメータに従って調整し、次に、前記重み係数を乗算して調整済み強度微調整信号を生成することにより前記強度微調整信号を調整する色制御部と；
前記色中間信号を前記色相微調整信号、前記調整済み彩度微調整信号または前記調整済み強度微調整信号に従って因数と乗加減算を使って調整して色出力信号を出力する色調整部と；
を備える、特定の色属性を調整する装置。
【請求項２】
前記色入力信号の色属性には、赤（Ｒ）、緑（Ｇ）および青（Ｂ）が含まれる、請求項１に記載の特定の色属性を調整する装置。
【請求項３】
前記色中間信号と前記色出力信号の色属性には、輝度（Ｙ）、青色クロミナンス（Ｃｂ）および赤色クロミナンス（Ｃｒ）が含まれる、請求項１に記載の特定の色属性を調整する装置。
【請求項４】
前記色制御部信号の色属性には、色相信号（Ｈ）、彩度信号（Ｓ）および強度信号（Ｉ）が含まれる、請求項１に記載の特定の色属性を調整する装置。
【請求項５】
前記色制御部が：
前記色空間変換を使って色相信号を生成することにより前記色入力信号に含まれる色相を演算し、前記色入力信号の最大値および最小値を使って演算して前記調整パラメータを生成する色相演算部と；
前記色相微調整信号と、前記彩度微調整信号と、前記強度微調整信号を前記色相信号との関係に従って生成する前記微調整マッピングテーブルと；
前記重み係数を前記調整パラメータに従って調整し、次に、前記重み係数を乗算して前記調整済み彩度微調整信号と前記調整済み強度微調整信号を生成することにより前記彩度微調整信号と前記強度微調整信号を調整する微調整信号調整部と；
を備える、請求項１に記載の特定の色属性を調整する装置。
【請求項６】
前記色相演算部が：
前記色入力信号に含まれる色属性から最大値を持つ色属性と、中間値を持つ色属性と、最小値を持つ色属性を選択して、これらをそれぞれ、最大値信号と、中間値信号と、最小値信号として出力する比較器と；
前記最大値信号と、前記中間値信号と、前記最小値信号に従って前記色相信号を演算する色相信号計算機と；
前記最大値信号と前記最小値信号に従って前記調整パラメータを演算する調整パラメータ計算機と；
を備える、請求項５に記載の特定の色属性を調整する装置。
【請求項７】
前記色相信号が、前記中間値信号から前記最小値信号を減算して得られた値を、前記最大値信号から前記最小値信号を減算して得られた値で除算して得られる、請求項６に記載の特定の色属性を調整する装置。
【請求項８】
前記調整パラメータが第１の調整パラメータを含み、その値が、前記最大値信号と前記最小値信号を互いに加算して得られた値を２で除算することによって得られる、請求項６に記載の特定の色属性を調整する装置。
【請求項９】
前記調整パラメータが第２の調整パラメータを含み、その値は、前記最大値信号から前記最小値信号を減算して得られた値である、請求項６に記載の特定の色属性を調整する装置。
【請求項１０】
前記微調整マッピングテーブルが：
前記色相微調整信号を前記色相信号に従って生成する色相微調整マッピングテーブルと；
前記彩度微調整信号を前記色相信号に従って生成する彩度微調整マッピングテーブルと；
前記強度微調整信号を前記色相信号に従って生成する強度微調整マッピングテーブルと；
を含む、請求項５に記載の特定の色属性を調整する装置。
【請求項１１】
前記微調整信号調整部が：
前記重み係数を前記調整パラメータに従って生成する調整パラメータマッピングテーブルと；
前記彩度微調整信号と前記重み係数を受信して、それらを乗算して、前記調整済み彩度微調整信号を出力する第１の乗算機と；
強度微調整信号と重み係数を受信して、それらを乗算して、前記調整済み強度微調整信号を出力する第２の乗算機と；
を備える、請求項５に記載の特定の色属性を調整する装置。
【請求項１２】
前記色出力信号の輝度が、前記色中間信号の輝度と前記調整済み強度微調整信号を互いに加算することによって得られ；
前記色出力信号の青色クロミナンスが、前記色中間信号の青色クロミナンスに第１の因数を乗算して得られた値と、前記色中間信号の赤色クロミナンスに第２の因数を乗算して得られた値とを互いに加算して得られた値に、前記調整済み彩度微調整信号を乗算して得られ；
前記色出力信号の赤色クロミナンスが、前記色中間信号の青色クロミナンスに第２の因数を乗算して得られた値を、前記色中間信号の赤色クロミナンスに第１の因数を乗算して得られた値から減算して得られた値に、調整済み彩度微調整信号を乗算して得られ；
前記第１の因数が、前記色相微調整信号のコサイン値であり、前記第２の因数が、前記色相微調整信号のサイン値である；
請求項３に記載の特定の色属性を調整する装置。
【請求項１３】
輝度とクロミナンスが互いに分離していない色入力信号を受信して、その色入力信号を輝度とクロミナンスが互いに分離している色中間信号に変換するステップと；
色空間変換を使って色相信号を生成することにより前記色入力信号に含まれる色相を演算し、前記色相信号と微調整マッピングテーブルとの関係に従って色相微調整信号と、彩度微調整信号と、強度微調整信号を生成するステップと；
前記色入力信号の最大値および最小値を使って演算して調整パラメータを生成し、重み係数を前記調整パラメータに従って調整し、次に、前記重み係数を乗算して調整済み彩度微調整信号を生成することにより前記彩度微調整信号を調整するかまたは重み係数を前記調整パラメータに従って調整し、次に、前記重み係数を乗算して調整済み強度微調整信号を生成することにより前記強度微調整信号を調整するステップと；
前記色中間信号を前記色相微調整信号、前記調整済み彩度微調整信号または前記調整済み強度微調整信号に従って因数と乗加減算を使って調整して色出力信号を出力するステップと；
を含む、特定の色属性を調整する方法。
【請求項１４】
前記色入力信号の色属性には、赤（Ｒ）、緑（Ｇ）および青（Ｂ）が含まれる、請求項１３に記載の色属性を調整する方法。
【請求項１５】
前記色中間信号と前記色出力信号の色属性には、輝度（Ｙ）、青色クロミナンス（Ｃｂ）および赤色クロミナンス（Ｃｒ）が含まれる、請求項１３に記載の色属性を調整する方法。
【請求項１６】
前記色入力信号に含まれる色属性から最大値を持つ色属性と、中間値を持つ色属性と、最小値を持つ色属性を選択して、これらをそれぞれ、最大値信号と、中間値信号と、最小値信号として出力するステップをさらに含む、請求項１３に記載の色属性を調整する方法。
【請求項１７】
前記色相信号が、前記中間値信号から前記最小値信号を減算して得られた値を、前記最大値信号から前記最小値信号を減算して得られた値で除算して得られる、請求項１６に記載の色属性を調整する方法。
【請求項１８】
前記調整パラメータが第１の調整パラメータを含み、その値が、前記最大値信号と前記最小値信号を互いに加算して得られた値を２で除算することによって得られる、請求項１６に記載の色属性を調整する方法。
【請求項１９】
前記調整パラメータが第２の調整パラメータを含み、その値は、前記最大値信号から前記最小値信号を減算して得られた値である、請求項１６に記載の色属性を調整する方法。
【請求項２０】
前記調整済み彩度微調整信号と前記調整済み強度微調整信号を生成するステップが：
重み係数を前記調整パラメータに従って生成するステップと；
前記彩度微調整信号に前記重み係数を乗算して、前記調整済み彩度微調整信号を出力するステップと；
前記強度微調整信号に前記重み係数を乗算して、前記調整済み強度微調整信号を出力するステップと；
を含む、請求項１６に記載の色属性を調整する方法。
【請求項２１】
前記色中間信号を調整して前記色出力信号を出力するステップが：
前記色中間信号の輝度と前記調整済み強度微調整信号を互いに加算して、前記色出力信号の輝度を出力するステップと；
前記色中間信号の青色クロミナンスに第１の因数を乗算して得られた値と、前記色中間信号の赤色クロミナンスに第２の因数を乗算して得られた値とを互いに加算して得られたこれら２つの値の和に、前記調整済み彩度微調整信号を乗算して、前記色出力信号の青色クロミナンスを出力するステップと；
前記色中間信号の青色クロミナンスに前記第２の因数を乗算して得られた値を、前記色中間信号の赤色クロミナンスに前記第１の因数を乗算して得られた値から減算して得られたこれら２つの値の差に、前記調整済み彩度微調整信号を乗算して、前記色出力信号の赤色クロミナンスを出力するステップと；
を含み、前記第１の因数が、前記色相微調整信号のコサイン値であり、前記第２の因数が、前記色相微調整信号のサイン値である、請求項１５に記載の色属性を調整する方法。
【発明の詳細な説明】
【技術分野】
【０００１】
本発明は色の調整に関し、より詳しくは、色空間中のさまざまな色領域に対して画像内での特定の色属性を調整する装置とその方法に関する。
【背景技術】
【０００２】
過去においては、多くの色空間がさまざまな色を描写するものとして定義されてきた。例えば、ＲＧＢ色空間はデカルト座標系であり、赤（Ｒ）、緑（Ｇ）および青（Ｂ）がそれぞれこの座標系の３つのベースである。すなわち、ＲＧＢ色空間においては、どのような色でも、赤（Ｒ）、緑（Ｇ）および青（Ｂ）というこの３つの色属性の組み合わせで描写することが可能である。ＲＧＢ色空間のそれぞれの色属性間には高い関連性があるため、ＲＧＢ色空間は、スキャナーやディスプレイなどのような画像装置の入力部と出力部で最も用いられるものであるとはいえ、それは色調整などの画像処理においては適切なものではない。
【０００３】
比較的に、ＨＳＩ色空間は色調整などの画像処理にはより適したものである。ＨＳＩ色空間は人間の視覚により近く、その色属性は互いに関連性がない。図１を参照すると、ＨＳＩ色空間は、色相（Ｈ）、彩度（Ｓ）および強度（Ｉ）という３つのベースを有する座標系である。色相とは色の種類、すなわち、赤色や、橙色や、黄色や、緑色や、青色などの人間の目によって知覚される互いに異なった波長を持った光線の色のことである。彩度とは色の純度、すなわち、その色の中に白色が浸透している度合いのことである。色の彩度が高いということは、その色に白色があまり浸透していないことを表している。強度とは色の輝度のことであり、すなわち、その色が白に近いほど強度は高く、黒に近いほど強度は低い。色相の値は０°〜３６０°であり、彩度と強度の値は８ビットで表せば０〜２５５である。
【０００４】
従来は、画像の色の調整は、色属性を変換マトリックスによって変換することによって行われてきた。しかしながら、変換マトリックスを用いる色調整方法は、画像の色空間内の各々の色領域に影響を与えてそれを調整するものである。すなわち、ある特定の色領域に対する色調整を、色空間を変換マトリックスによって回転させるだけで行うことは不可能である。また、従来、この調整の仕方は、ＨＳＩ色空間内の画像の色を調整するにはより適しているとはいえ、色相に急な変化を伴う領域で色調整を行う場合に発生するいくつかの問題を防ぐようにＨＳＩ色空間内の各色領域に合わせた修正はされない。例えば、ＨＳＩ色空間の中心部の近くで微調整すると、彩度や強度が極度に変化してしまう。
【発明の開示】
【発明が解決しようとする課題】
【０００５】
本発明の目的は、正確に色を調整できるように、色空間内の各色領域ごとに色調整の仕方を修正する、特定の色属性を調整する装置とその方法を提供することである。
【０００６】
本発明の別の目的は、特定の色属性を調整する装置とその方法を提供することである。輝度とクロミナンスが互いに分離されていない色入力信号（例えば、ＲＧＢ色空間を用いている）の色相を演算する。微調整信号を、マッピングテーブルで色相を用いることによって生成し、色を調整する。このようにして、色をフレキシブルにそして迅速に調整することが可能となる。
【課題を解決するための手段】
【０００７】
本発明は、色空間変換部と、色制御部と、色調整部を備える、特定の色属性を調整する装置を提供する。色空間変換部は、輝度とクロミナンスが互いに分離されていない色入力信号を受信して、その色入力信号を、輝度とクロミナンスが分離された色中間信号に変換する。色制御部は色入力信号に含まれる色相を演算して色相信号を生成し、また、色入力信号を演算して調整パラメータを生成する。色制御部は、色相微調整信号と、彩度微調整信号と、強度微調整信号を色相信号に従って生成して、彩度微調整信号と強度微調整信号を調整パラメータに従って調整して、調整済みの彩度微調整信号と調整済みの強度微調整信号を生成する。色調整部は、色相微調整信号と、調整済み彩度微調整信号と、調整済み強度微調整信号に従って色中間信号を調整して、色出力信号を出力する。
【０００８】
ある実施の形態では、上記の色制御部は、色相演算部と、微調整マッピングテーブルと、微調整信号調整部を備える。色相演算部は、色入力信号に含まれる色相を演算して色相信号を生成し、色入力信号を演算して調整パラメータを生成する。微調整マッピングテーブルは、色相微調整信号と、彩度微調整信号と、強度微調整信号を色相信号に従って生成する。微調整信号調整部は、調整パラメータに従って重み係数を生成し、彩度微調整信号と強度微調整信号を重み係数で調整して調整済み彩度微調整信号と調整済み強度微調整信号を生成する。
【０００９】
本発明は、特定の色属性を調整する方法を提供する。最初に、輝度とクロミナンスが互いに分離されていない色入力信号が受信されて輝度とクロミナンスが互いに分離された色中間信号に変換される。色入力信号に含まれる色相を演算して色相信号を生成し、この色相信号に従って、色相微調整信号と、彩度微調整信号と、強度微調整信号を生成する。色入力信号を演算して調整パラメータを生成し、この調整パラメータに従って彩度微調整信号と強度微調整信号を調整して、調整済み彩度微調整信号と調整済み強度微調整信号を生成する。最後に、色中間信号を色相微調整信号と、調整済み彩度微調整信号と、調整済み強度微調整信号に従って調整して色出力信号を出力する。
【００１０】
本発明においては、色制御部が色空間内のさまざまな色領域ごとに色調整の仕方を修正する（すなわち、彩度微調整信号と強度微調整信号を調整して、調整済み彩度微調整信号と調整済み強度微調整信号を生成する）ため、色相が急激に変化する領域で色調整を実施する際に発生した問題を回避することが可能である。
【００１１】
本発明の上記の目的および他の目的、特徴ならびに長所を理解可能なものとするために、好ましい実施の形態を添付図面によって以下に詳述する。
【００１２】
以上の概略的な説明と以下の詳細な説明は例示目的であり、従って、請求項に記述される本発明の更なる説明を提供することを意図するものであることを理解すべきである。
【００１３】
添付図面を本発明をさらに理解するために含み、また、本明細書に組み込みその一部とする。これらの図面は本発明の実施の形態を示し、説明と共に、本発明の原理を説明するものである。
【発明を実施するための最良の形態】
【００１４】
説明の簡単のため、以下、色入力信号の例としてＲＧＢ画像信号（すなわち、ＲＧＢ色空間によって表される画像信号）を挙げ、色中間信号と色出力信号の例としてＹＣｂＣｒ画像信号（すなわち、ＹＣｂＣｒ色空間によって表される画像信号）を挙げる。ＹＣｂＣｒ色空間は、輝度（Ｙ）と、青色クロミナンス（Ｃｂ）と、赤色クロミナンス（Ｃｒ）という３つのベースを有する座標系であり、ここで青色クロミナンス（Ｃｂ）と赤色クロミナンス（Ｃｒ）は一般にクロミナンスと呼ばれる。従って、ＲＧＢ画像信号は、輝度とクロミナンスが互いに分離されていない信号であり、ＹＣｂＣｒ画像信号は、輝度とクロミナンスが互いに分離されている信号である。
【００１５】
ハードウエアを実現する経費を削減することを考慮して、本発明の色調整スキームは、図２に示すように、簡略化されたＨＳＩ色空間に対して実施する。ＲＧＢを簡略化されたＨＳＩ色空間に変換する式は次のとおりである：
ＬＰ＝ｍａｘ（Ｒ，Ｇ，Ｂ）    （１）
ＳＰ＝ｍｉｎ（Ｒ，Ｇ，Ｂ）    （２）
ｒ＝（ＬＰ−Ｒ）／（ＬＰ−ＳＰ）    （３）
ｇ＝（ＬＰ−Ｇ）／（ＬＰ−ＳＰ）    （４）
ｂ＝（ＬＰ−Ｂ）／（ＬＰ−ＳＰ）    （５）
Ｉ＝（ＬＰ＋ＳＰ）／２    （６）
Ｉ≦０．５であれば、Ｓ＝（ＬＰ−ＳＰ）／（ＬＰ＋ＳＰ）    （７）
Ｉ＞０．５であれば、Ｓ＝（ＬＰ−ＳＰ）／（２−ＬＰ−ＳＰ)    （８）
Ｒ＝ＬＰであれば、Ｈ＝６０×（ｂ−ｇ）    （９）
Ｇ＝ＬＰであれば、Ｈ＝６０×（２＋ｒ−ｂ）    （１０）
Ｂ＝ＬＰであれば、Ｈ＝６０×（４＋ｇ−ｒ）    （１１）
Ｈ≧３６０であれば、Ｈ＝Ｈ−３６０    （１２）
Ｈ＜０であれば、Ｈ＝Ｈ＋３６０    （１３）
ここで、ｍａｘ（・）とｍｉｎ（・）はそれぞれ、最大値と最小値を取る関数であり、従って、ＬＰとＳＰはそれぞれ、最大値信号と最小値信号である。さらに、Ｒ、ＧおよびＢはそれぞれ赤、緑および青の値であり、Ｉ、ＳおよびＨはそれぞれ、強度、彩度および色相の値である。式（７）と式（８）に関しては、ＬＰ＝ＳＰであれば、Ｓ＝０である。式（１２）に関しては、Ｈ＝Ｈ−３６０ということは、Ｈ≧３６０であれば、Ｈの値から３６０を減算した値はＨの実効値であるということである。式（１３）に関しては、Ｈ＝Ｈ＋３６０ということは、Ｈ＜０であれば、Ｈの値に３６０を加算した値はＨの実効値であるということである。
【００１６】
図４は、本発明の実施の形態に従って特定の色属性を調整する装置のブロック図である。図４を参照すると、特定の色属性を調整する装置４０は、色空間変換部４１と、色制御部４２と、色調整部４３を備えている。図４を参照すると、色空間変換部４１は、色入力信号（その色属性には、Ｒ＿ｉｎ信号、Ｇ＿ｉｎ信号、およびＢ＿ｉｎ信号が含まれる）を受信して、この色入力信号を色中間信号（その色属性には、Ｙ＿ｉｎ信号、Ｃｂ＿ｉｎ信号、およびＣｒ＿ｉｎ信号が含まれる）に変換する。色相微調整信号ｄＨｕｅと、調整済み彩度微調整信号ｄＳａｔ’と、調整済み強度微調整信号ｄＩｎｔ’に従って、色調整部４３は色中間信号を調整して出力信号（その色属性には、Ｙ＿ｏｕｔ信号、Ｃｂ＿ｏｕｔ信号、およびＣｒ＿ｏｕｔ信号が含まれる）を出力する。
【００１７】
次に、色相微調整信号ｄＨｕｅ、調整済み彩度微調整信号ｄＳａｔ’および調整済み強度微調整信号ｄＩｎｔ’を生成する色制御部４２を説明する。図５を参照すると、図４の色制御部４２のブロック図が示されている。色制御部４２は、色相演算部５１と、微調整マッピングテーブル５２と、微調整信号調整部５３を含んでいる。微調整マッピングテーブル５２はさらに、色相微調整マッピングテーブル５４と、彩度微調整マッピングテーブル５５と、強度微調整マッピングテーブル５６を含んでいる。微調整信号調整部５３はさらに、調整パラメータマッピングテーブル５７と、乗算器５８および５９とを含んでいる。
【００１８】
色相演算部５１の詳細なブロック図は図６に示すとおりである。図６を参照すると、最初に比較器６１が式（１）、式（２）および次式を用いて：
ＭＰ＝ｍｅｄ（Ｒ，Ｇ，Ｂ）    （１４）
それぞれＲ＿ｉｎ信号、Ｇ＿ｉｎ信号およびＢ＿ｉｎ信号の値をこの式の中のＲ、ＧおよびＢに代入して、最大値信号ＬＰと、中間値信号ＭＰと、最小値信号ＳＰを生成する（この式中で、ｍｅｄ（・）は中間値を取る関数である）。
【００１９】
式（９）〜式（１３）に従って、色相信号計算機６２は次式を用いて：
【００２０】
【数１】
0004495126.tif 000002
【００２１】
色相信号Ｈｕｅを演算して獲得する。本実施の形態では、Ｌビットの色相信号Ｈｕｅは（Ｌ−Ｋ）個のＭＳＢビットを含むＨｕｅ［Ｌ−１：Ｋ］とＫ個のＬＳＢビットを含むＨｕｅ［Ｋ−１：０］に分割される。色相信号Ｈｕｅ［Ｌ−１：Ｋ］は、実際の色相信号の値に隣接する２つのテーブルエントリ（例えば、赤と黄色）を引用するために用いられ、色相信号Ｈｕｅ［Ｋ−１：０］は、これら隣接する２つのテーブルエントリを組み込むことによって最終的なマッピング出力を生成するために用いられる。さらに、調整パラメータ計算機６３は次式：
ＬＰＳ＝（ＬＰ＋ＳＰ）／２    （１６）
ＬＭＳ＝ＬＰ−ＳＰ    （１７）
を用いて、第１の調整パラメータＬＰＳおよび／または第２の調整パラメータＬＭＳを演算して獲得する。調整パラメータＬＰＳおよび／またはＬＭＳの機能を以下に詳しく説明する。
【００２２】
図５を参照すると、微調整マッピングテーブル５２は、Ｈｕｅ［Ｌ−１：Ｋ］とＨｕｅ［Ｋ−１：０］に記録されている色相信号Ｈｕｅを受信して、色相微調整信号ｄＨｕｅと、彩度微調整信号ｄＳａｔと、強度微調整信号ｄＩｎｔを、色相微調整マッピングテーブル５４と、彩度微調整マッピングテーブル５５と、強度微調整マッピングテーブル５６でそれぞれ生成する。例えば、図７は、色相信号Ｈｕｅと微調整信号ｄＳａｔ間のマッピング関係である。本実施の形態では、緑色の彩度は増して青色の彩度は減少する。確かに、微調整マッピングテーブル５２中のデータを要件に従って変更して、色相信号Ｈｕｅと微調整信号ｄＨｕｅ、ｄＳａｔおよびｄＩｎｔとの間のマッピング関係を調整し、これによってそのマッピング関係を各ユーザの選択に合わせて特定の色に調整することは可能である。
【００２３】
しかしながら、ＨＳＩ色空間内の色相が急激に変化する領域では、このような色属性調整方法でいくつかの問題が発生する。このような問題の原因の説明のため、領域３１〜３４のすべてが、それぞれ簡略化されたＨＳＩ色空間の平面である図３に示す簡略化されたＨＳＩ色空間を参照されたい。色相信号Ｈｕｅを用いて、強度の高い色領域（領域３２など）、強度の低い色領域（領域３３など）または彩度の低い色領域（領域３４など）を微調整する場合、少し調整しただけでも、画素の彩度または強度が急激に変化することになる。
【００２４】
従って、本発明では、簡略化されたＨＳＩ色空間のさまざまな色領域に従って色調整を修正して、色相が急激に変化する領域において上記の問題が発生することを回避する。図５を再度参照すると、本発明では、色相演算部５１を用いて、微調整信号調整部５３に対して調整パラメータＬＰＳおよび／またはＬＭＳを提供し、調整パラメータマッピングテーブル５７を用いて、調整パラメータＬＰＳおよび／またはＬＭＳに従って重み係数ＷＦを生成し、これによって、色空間のさまざまな色領域に対する微調整信号ｄＳａｔとｄＩｎｔを調整する。本実施の形態では、乗算機５８は彩度微調整信号ｄＳａｔに重み係数ＷＦを乗算して調整済み彩度微調整信号ｄＳａｔ’を生成し、乗算機５９は強度微調整信号ｄＩｎｔに重み係数ＷＦを乗算して調整済み強度微調整信号ｄＩｎｔ’を生成する。確かに、乗算機５８と５９はまたマッピングテーブルを用いて乗算という機能を達成してもよい。
【００２５】
図８（ａ）を参照すると、調整パラメータＬＰＳと重み係数ＷＦ間のマッピング関係の実施の形態が示されている。図３では、強度は、微調整プロセスで彩度または強度に変化をもたらす重要な要因であることが明らかである。例えば、強度が高いほど（極端な場合、平面が白色に非常に近いと）または強度が低いほど（極端な場合、平面が黒色に非常に近いと）、微調整によってもたらされる彩度または強度の変化が大きくなる。強度Ｉ＝（ＬＰ＋ＳＰ）／２であり、調整パラメータＬＰＳ＝（ＬＰ＋ＳＰ）／２であるので、強度Ｉを低くまたは高く設計するほど（すなわち、調整パラメータＬＰＳが低いまたは高いほど）、重み係数ＷＦが低くなり、従って、調整パラメータＬＰＳと重み係数ＷＦ間のマッピング関係は釣鐘曲線となるのが好ましい。
【００２６】
図８（ｂ）を参照すると、調整パラメータＬＭＳと重み係数ＷＦ間のマッピング関係の実施の形態が示されている。強度は微調整プロセスで彩度または強度に変化をもたらす重要な要因であるとはいえ、彩度もまたその要因である。微調整プロセスでの彩度または強度の変化を考慮して、２つの要素の積Ｄ＝２×Ｉ×Ｓを用いて、この２つの要素の影響の度合いを推定する。式（６）〜式（８）をＤ＝２×Ｉ×Ｓに代入すると、次式が得られる：
Ｉ≦０．５であれば、Ｄ＝ＬＰ−ＳＰ    （１８）
Ｉ＞０．５であれば、Ｄ＝(ＬＰ＋ＳＰ)×(ＬＰ−ＳＰ)／(２−ＬＰ−ＳＰ)    （１９）
また、強度が低い状態では微調整しても彩度や強度に急激な変化をもたらさないため、式（１９）に（２−ＬＰ−ＳＰ）／（ＬＰ＋ＳＰ）を乗算して、Ｄ＝ＬＰ−ＳＰと簡略化することが可能であり、これで、式（１８）と式（１９）を組み合わせて、強度が低い場合でのＤ＝ＬＰ−ＳＰとすることが可能である。従って、調整パラメータＬＭＳと重み係数ＷＦ間のマッピング関係は、増加曲線となるのが好ましい。
【００２７】
図９は、図４の色調整部４３を示すブロック図である。図９を参照すると、色調整部４３中で、強度調整部９１がＹ＿ｉｎ信号を調整済み微調整信号ｄＩｎｔ’に従って調整することによってＹ＿ｏｕｔ信号が生成される。さらに、まず色相調整部９２がＣｂ＿ｉｎ信号とＣｒ＿ｉｎ信号をそれぞれ微調整信号ｄＨｕｅに従って調整し、次に彩度調整部９３がそれぞれこれらを調整済み微調整信号ｄＳａｔ’に従って調整することによって、Ｃｂ＿ｏｕｔ信号とＣｒ＿ｏｕｔ信号が生成される。従って、色出力信号と色中間信号との間の関係は次のとおりである：
Ｙ＿ｏｕｔ＝Ｙ＿ｉｎ＋ｄＩｎｔ’    （２０）
【００２８】
【数２】
0004495126.tif 000003
【００２９】
【数３】
0004495126.tif 000004
【００３０】
ここで、第１の因数ｃｏｓ（ｄＨｕｅ）は、色相微調整信号ｄＨｕｅのコサイン値であり、第２の因数ｓｉｎ（ｄＨｕｅ）は、色相微調整信号ｄＨｕｅのサイン値である。
【００３１】
要約すると、本発明においては、色制御部は色空間内のさまざまな色領域に対して色調整の仕方を修正する（すなわち、彩度微調整信号と強度微調整信号を調整して、調整済み彩度微調整信号と調整済み強度微調整信号を生成する）ため、色相が急激に変化する領域で色調整を実行する際に発生した問題を回避することが可能である。
【００３２】
本発明の範囲と精神から逸脱することなく本発明による構造にさまざまな修正と変更を実施することが可能であることが当業者には明らかであろう。前記の内容に鑑み、本発明は、本発明の修正例と変更例とを、それらが次の請求項およびその同等物の範囲に入る限り、その範囲に収めることを意図するものである。
【図面の簡単な説明】
【００３３】
【図１】ＨＳＩ色空間を示す図である。
【図２】簡略化されたＨＳＩ色空間を示す図である。
【図３】簡略化されたＨＳＩ色空間を示す図である。
【図４】本発明の実施の形態に従って特定の色属性を調整する装置を示すブロック図である。
【図５】図４に示す装置の色制御部を示すブロック図である。
【図６】図５に示す装置の色相演算部を示すブロック図である。
【図７】図５に示す装置内で色相信号に従って彩度微調整信号を調整する実施の形態を示す図である。
【図８】（ａ）は、図５に示す装置内で調整パラメータＬＰＳに従って重み係数を調整する実施の形態を示す図である。（ｂ）は、図５に示す装置内で調整パラメータＬＭＳに従って重み係数を調整する実施の形態を示す図である。
【図９】図４に示す装置の色調整部を示すブロック図である。
【符号の説明】
【００３４】
３１、３２、３３、３４    領域
４０        特定の色属性を調整する装置
４１        色空間変換部
４３        色調整部
４２        色制御部
５１        色相演算部
５２        微調整マッピングテーブル
５３        調整パラメータマッピングテーブル
５４        色相微調整マッピングテーブル
５５        彩度微調整マッピングテーブル
５６        強度微調整マッピングテーブル
６１        比較器
６２        色相信号計算機
６３        調整パラメータ計算機
９１        強度調整部
９２        色相調整部
９３        彩度調整部
ｄＨｕｅ    色相微調整信号
ｄＳａｔ    彩度微調整信号
ｄＩｎｔ    強度微調整信号
ｄＳａｔ’  調整済み彩度微調整信号
ｄＩｎｔ’  調整済み強度微調整信号
Ｈｕｅ      色相信号
ＬＰＳ      第１の調整パラメータ
ＬＭＳ      第２の調整パラメータ
ＬＰ        最大値信号
ＭＰ        中間値信号
ＳＰ        最小値信号
Ｒ＿ｉｎ、Ｇ＿ｉｎ、Ｂ＿ｉｎ、Ｙ＿ｉｎ、Ｃｂ＿ｉｎ、Ｃｒ＿ｉｎ    色属性入力信号
Ｙ＿ｏｕｔ、Ｃｂ＿ｏｕｔ、Ｃｒ＿ｏｕｔ    色属性出力信号
ＷＦ        重み係数
【図１】
0004495126.tif 000005
【図２】
0004495126.tif 000006
【図３】
0004495126.tif 000007
【図４】
0004495126.tif 000008
【図５】
0004495126.tif 000009
【図６】
0004495126.tif 000010
【図７】
0004495126.tif 000011
【図８】
0004495126.tif 000012
【図９】
0004495126.tif 000013